(57)【特許請求の範囲】
【請求項１】
賞球を転動させると共に、前記転動の通路を挟んでそれぞれ対向配置される複数の発光素子及び同数の受光素子を有する光学センサによって前記賞球の数量を計数する賞球計数機において、前記光学センサの発光素子全体の発光量を前記複数の各受光素子の出力状態が全て変化するまで段階的に変化させ、最初に変化した受光素子から最後に変化した受光素子までの前記光学センサの各受光素子の出力状態が変化する順番を検出して前記光学センサの正常時における変化状態データとして予め記憶しておき、前記計数に先立って前記光学センサの前記各受光素子の出力状態が変化する順番を検出し、その検出時における変化状態データを前記正常時における変化状態データと比較照合することを特徴とする賞球計数機の不正計数防止装置。
【請求項２】
前記比較照合において、両者の変化状態データにて前記各受光素子の出力状態が変化する順番が一致するか否かを照合し、一部の受光素子の順番が不一致であっても他の受光素子の順番が一致している場合は装置正常とするようになっている請求項１に記載の賞球計数機の不正計数防止装置。
【発明の詳細な説明】
【０００１】
【発明の属する技術分野】
本発明は、パチンコ店、雀球店等に設置され、顧客が獲得した賞球の数量を光学的に計数する賞球計数機の不正計数防止装置に関するものである。
【０００２】
【従来の技術】
パチンコ店、雀球店等においてはパチンコ球等の賞球を景品交換所などで計数するための賞球計数機が設置されているが、かかる賞球計数機は一般に、客によりホッパに投入された賞球の数量をセンサにより検出して計数している。
【０００３】
図４は一般的な賞球計数機１０の外観構成を示しており、中央には、多数量の賞球を受け入れるホッパ１１があり、その上部には必要なデータや案内等を表示するための表示部１２が設けられていると共に、返却発行スイッチ１３、レシート発行スイッチ１４及びプリンタ表示部１５が設けられている。ホッパ１１に賞球が投入されると、賞球の数量が自動的に計数され、計数値が表示部１２に表示され、レシート発行スイッチ１４が押下されると、日付や賞球の総数等が記入されたレシートがレシート発行口１６から発行されると共に、プリンタ表示部１５にレシート内容が表示されるようになっている。
【０００４】
図５は、ホッパ１１から賞球１が転動する賞球計数部２０の外観構成を示しており、図６は図５のａ−ａ‘線矢印Ｙ方向の一部断面図である。複数本のレール（レーン）２１で区切られた通路２２毎に、光学検出センサ対３０が並列に設けられている。通路２２は傾斜して設けられており、賞球１が通路２２を転動して流れて賞球出口２３に出て行くときに、赤外線のＬＥＤ（発光素子）３０ａとフォトトランジスタ（受光素子）３０ｂとで成る光学検出センサ対３０によって検出される。
【０００５】
光学検出センサ対３０の発光側回路は図７に示す構成となっており、発光素子としての発光ダイオード（ＬＥＤ１，ＬＥＤ２，…）は賞球１が流れる通路にそれぞれ１個所設けられている。また、光学検出センサ対３０の受光側回路は図８に示すような構成になっており、受光素子としてのフォトトランジスタ（ＰＨ１，ＰＨ２，…）からの検出パルス信号（Ｓ１，Ｓ２，…）はそれぞれコンパレータ（ＩＣ１，ＩＣ２，…）に送出され、コンパレータ（ＩＣ１，ＩＣ２，…）に入力する基準電圧に基づいて２値化されたディジタル信号（ＤＳ１，ＤＳ２，…）が計数回路（▲１▼、▲２▼、…）に入力される。
【０００６】
このような構成において、賞球１がホッパ１１に入れられると直ちに賞球１の自重により賞球計数部２０の各レール２１に転動していき、光学検出センサ対３０を通過し始め計数が始まり、計数回路（▲１▼、▲２▼、…）で各レール２１を転動する賞球数が計数され、その総計によって賞球数が求められる。
【０００７】
ここにおいて、上記賞球計数機１０を基板構成のブロック図で示すと図９に示すようになり、センサ基板１０ＡとＣＰＵ基板１０Ｂとに分かれている。センサ基板１０Ａには発光ダイオード（ＬＥＤ１，ＬＥＤ２，…）及びフォトトランジスタ（ＰＨ１，ＰＨ２，…）が装着され、光学検出センサ対３０を構成している。一方、ＣＰＵ基板１０Ｂには、プログラム１０１で作動する制御手段としてのＣＰＵ１０２と、入出力を制御するインタフェースとしてのＩＯポート１０３と、発光ダイオード（ＬＥＤ１，ＬＥＤ２，…）をＯＮ／ＯＦＦするＯＮ／ＯＦＦ回路１０４と、フォトトランジスタ（ＰＨ１，ＰＨ２，…）からの球計数信号ＢＳを基準値と比較して２値化するコンパレート回路１０５とが装着されている。発光ダイオード（ＬＥＤ１，ＬＥＤ２，…）はＩＯポート１０３及びＯＮ／ＯＦＦ回路１０４を介してＣＰＵ１０２で発光制御され、フォトトランジスタ（ＰＨ１，ＰＨ２，…）からの球計数信号ＢＳは、コンパレート回路１０５及びＩＯポート１０３を経てＣＰＵ１０２に入力されて賞球１の数量が計数される。
【０００８】
そして、最近フォトトランジスタ（ＰＨ１，ＰＨ２，…）からの球計数信号ＢＳに電気的な不正を施すことにより、計数信号のパルス数を減らすという手法で店の利益を不当に確保しようという内部不正が発生している。不正の内容はセンサ受光側のハーネスに不正回路を接続し、光学検出センサ対３０のＯＮ／ＯＦＦ信号のチェックでは不正を発見できないように対処されている。この種の不正回路では、受光側ＯＦＦ時には、受光側はセンサ信号を通過させ、この場合にはセンサチェックがＯＫとなる。また、発光側ＯＮ時には、複数ある受光側の一部を強制的にＯＮにする。つまり、球が通らなかったとして計数値が上がらないようにしており、このような不正回路を複数あるレーンのうち少なくとも１個所に設置している。
【０００９】
図８の回路において、例えばフォトトランジスタＰＨ１を取り除くとか、センサ信号の送信に関連する信号線を点Ｐで切断することによって、発光側ＯＦＦ時は受光側でセンサ信号を通過させ、発光側ＯＮ時は受光側センサの一部を強制的にＯＮにする不正回路を挿入する。これにより、電源ＯＮ時又は計数開始前のセンサのチェックには合格しても、計数時はセンサの一部が強制的にＯＮになるので、センサに賞球の通過があっても計数されないことになる。このため、実際の球数よりも少ない量が計数値となり、店の利益となる。
【００１０】
【発明が解決しようとする課題】
かかる不正防止のために、例えば特開平１１−９８０９号公報に示されるように賞球の重量を測定し、計数値と重量とが見合ったものかを対比確認する装置が提案されている。しかしながら、重量を測定するための機構が必要でコストアップに繋がり、計数機の重量も重くなる欠点がある。
【００１１】
また、現行の検査方法では、センサ基板１０ＡからＣＰＵ基板１０Ｂのハーネスに何か仕掛けられていないかを外観上でチェックする以外にないのが実情である。チェックは遊戯組合等で質の向上のために自主的に行い、合格品に認定証を出すような運営を図っているが、なかなか進展していない。
【００１２】
このため、上述したような計数機内部に仕掛けられた不正改造を、計数機を分解することなく警告し、店側の不正行為（改造）を防止することが強く望まれれている。
【００１３】
本発明は上述のような事情よりなされたものであり、本発明の目的は、賞球の計数中に計数パルスを発生しないようにして、賞球数の計数値を減少させるような不正を行い得ないようにした賞球計数機の不正計数防止装置を提供することにある。
【００１４】
【課題を解決するための手段】
本発明は、賞球を転動させると共に、前記転動の通路を挟んでそれぞれ対向配置される複数の発光素子及び同数の受光素子を有する光学センサによって前記賞球の数量を計数する賞球計数機において、前記光学センサの発光素子全体の発光量を前記複数の各受光素子の出力状態が全て変化するまで段階的に変化させ、最初に変化した受光素子から最後に変化した受光素子までの前記光学センサの各受光素子の出力状態が変化する順番を検出して前記光学センサの正常時における変化状態データとして予め記憶しておき、前記計数に先立って前記光学センサの前記各受光素子の出力状態が変化する順番を検出し、その検出時における変化状態データを前記正常時における変化状態データと比較照合することによって達成される。
【００１６】
本発明の上記目的は、前記比較照合において、両者の変化状態データにて前記各受光素子の出力状態が変化する順番が一致するか否かを照合し、一部の受光素子の順番が不一致であっても他の受光素子の順番が一致している場合は装置正常とすることにより、より効果的に達成される。
【００１７】
【発明の実施の形態】
本発明では、先ず発光側素子の光量をアナログ的又はディジタル的に変化させて受光側素子の変化（例えばＯＮからＯＦＦへの変化又はＯＦＦからＯＮへの変化）を検知し、受光側素子の変化状態（例えば順番）をメモリに記憶する。センサの感度にはばらつきがあり、複数個の受光素子ではＯＦＦ（又はＯＮ）になる順序が常に一定のパターンになる。製品出荷時等にこのパターンを記憶しておき、店に設置された後の毎回計数時にセンサチェックを行い、その実際の変化状態を記憶状態と比較照合することにより不正回路の挿入を検知でき、不正計数の防止を実現できる。
【００１８】
受光側素子の感度により変化パターンが異なるので、不正回路の挿入は非常に困難である。不正回路を挿入した場合、メモリに予め記憶されている状態と異なることになり、変化パターンの不一致に基づいて不正回路の挿入を検知することができる。
【００１９】
以下、本発明の賞球計数機の不正計数防止装置について、図面を参照して具体的に説明する。
【００２０】
図１は本発明の構成例を示しており、センサ基板５０とＣＰＵ基板６０とに分離されており、センサ基板５０には発光側の複数の発光素子（例えばＬＥＤ）５１と受光側の複数の受光素子（例えばフォトトランジスタ）５２（Ａ，Ｂ，…，Ｆ）が対となって装着され、光学検出センサ対を構成している。また、ＣＰＵ基板６０には全体の制御を行う制御手段としてのＣＰＵ６１と、ＣＰＵ６１を駆動させるためのプログラム６２と、ＣＰＵ６１の入出力を制御するインタフェースとしてのＩＯポート６３と、ＩＯポート６３を介して発光素子５１を駆動するＤ／Ａコンバータ６４Ａ及び電力制御回路６４Ｂで成る発光量制御回路６４と、受光素子５２のＯＮからＯＦＦへの変化（又はＯＦＦからＯＮへの変化）をコンパレート回路６７を経由してディジタル信号で検知する状態検知手段６５と、この状態検知手段６５で検知された状態を記憶する記憶手段６６とを具備している。
【００２１】
ＣＰＵ６１はプログラム６２に従って発光素子５１の発光制御及び受光素子５２の受光制御を行うと共に、状態検知手段６５及び記憶手段６６を制御する。また、プログラム６２には、発光素子５１の発光量を制御する発光量制御データが含まれている。
【００２２】
なお、本発明の賞球計数機の機械的構成は、図４及び図５に示すような構成となっている。
【００２３】
このような構成において、その動作を図２のフローチャートを参照して説明する。
【００２４】
先ずＣＰＵ６１は、プログラム６２に従ってＩＯポート６３及び発光量制御回路６４を介して発光素子５１を、図３の実線に示すような発光１レベルで発光させ（ステップＳ１）、このときの受光素子５２（Ａ〜Ｆ）の受光結果Ｒ１を、コンパレート回路６７及びＩＯポート６３を介して読み出して記憶する（ステップＳ２）。同様に、ＣＰＵ６１は、プログラム６２に従ってＩＯポート６３及び発光量制御回路６４を介して発光素子５１を、図３の実線に示すような発光２レベルで発光させ（ステップＳ３）、このときの受光素子５２（Ａ〜Ｆ）の受光結果Ｒ２を、コンパレート回路６７及びＩＯポート６３を介して読み出す（ステップＳ４）。そして、受光結果Ｒ１∧受光結果Ｒ２を演算し（ステップＳ５）、状態検知手段６５は１レベル変化（発光１レベル→発光２レベル）に対する受光素子５２（Ａ〜Ｆ）の変化状態を検知し、このときの変化状態を記憶手段６６に記憶する（ステップＳ６）。なお、“∧”は排他論理和を意味している。
【００２５】
本例では、下記表１のように、１レベル→２レベルでは、受光素子５２（Ａ〜Ｆ）の状態は受光素子Ａが変化している。
【００２６】
【表１】
0004776803.tif 000002
次に、ＣＰＵ６１は同様に、プログラム６２に従ってＩＯポート６３及び発光量制御回路６４を介して発光素子５１を、図３の実線に示すような発光３レベルで発光させ（ステップＳ７）、このときの受光素子５２（Ａ〜Ｆ）の受光結果Ｒ３を、コンパレート回路６７及びＩＯポート６３を介して読み出す（ステップＳ８）。そして、受光結果Ｒ１∧受光結果Ｒ２を演算し（ステップＳ９）、状態記憶手段６５は次の１レベル変化に対する受光素子５２（Ａ〜Ｆ）の変化状態を検知し、このときの変化状態を記憶手段６６に記憶する（ステップＳ１０）。本例では、表１のように、２レベル→３レベルでは受光素子Ｄ及びＥが変化している。
【００２７】
上述と同様な動作を全ての受光素子５２について行い、全ての変化状態を記憶手段６６に記憶する（ステップＳ１１）。なお、発光素子の発光量の変化は図３の実線のような特性に限定されるわけではなく、一点鎖線のように変化させても良く、また、線形に変化させることも可能である。
【００２８】
このようにして、製品出荷時等に受光素子の状態変化の状態を記憶手段６６に記憶しておき、賞球計数機を設置した店では顧客が獲得した賞球を前述のようにして計数する。その際、賞球計数に先立って、発光量制御手段（プログラム）６２はＣＰＵ６１、発光量制御回路６４を介して発光素子５１を発光制御（イニシャルセンサチェック）し、そのときの受光素子５２の状態変化をコンパレート回路６７を介して状態検知手段６５が検知する。そして、ＣＰＵ６１は、状態検知手段６５が検知した状態変化の順番と記憶手段６６に記憶されている状態変化の順番とを比較照合し、両者が一致したときには装置正常として、賞球の計数を開始する。上記状態変化の順番の一致は完全に一致した場合にすることも可能であり、許容範囲内で順番が一致すれば合格とすることも可能である。例えば受光素子の１〜３個が不一致であっても、他の受光素子の順番が一致すれば合格というように、許容範囲を設けることも可能である。
【００２９】
上記一致若しくは許容範囲内での一致が得られない場合には、ブザーでのアラームを出したり、表示装置への表示によって計数機に対して不正が行われていることを報知する。また、不正を検知した場合に、装置の動作を中止するようにしても良い。
【００３０】
なお、上述では発光素子及び受光素子の数を６個としているが、その数は任意である。
【００３１】
【発明の効果】
上述のように本発明の賞球計数機の不正計数防止装置によれば、ハーネスに仕掛けられる不正に関して、装置を分解する必要もなく、外観チェックをしなくても、電源投入時若しくは計数に先立ってイニシャルチェックプログラムを実行させることにより、装置自体で不正を検知してアラームを出力したり、動作を中止するようにできるので、容易に不正な改造ができない。また、受光センサの感度により変化するパターンが異なるので、不正者は機械により様々な変化パターンに対処する回路を形成することは困難である。このため、不正改造を防止でき、経年変化等にも強い利点がある。
【図面の簡単な説明】
【図１】本発明の構成例を示すブロック構成図である。
【図２】本発明の動作例を示すフローチャートである。
【図３】発光量制御を説明するための図である。
【図４】一般的な賞球計数機の外観構成図である。
【図５】賞球計数部の外観構成図である。
【図６】図５のａ−ａ‘線矢印Ｙ方向の一部断面図である。
【図７】光学検出センサの発光側回路の一例を示す結線図である。
【図８】光学検出センサの受光側回路の一例を示す結線図である。
【図９】賞球計数機の内部構成例を示すブロック図である。
【符号の説明】
１              賞球
１０            賞球計数機
１１            ホッパ
１２            表示部
１６            レシート発行口
２０           賞球計数部
２１           レール（レーン）
２２           通路
３０           光学検出センサ対
３０ａ          ＬＥＤ（発光素子）
３０ｂ          フォトトランジスタ（受光素子）
５０           センサ基板
５１            発光素子
５２           受光素子
６０           ＣＰＵ基板
６１           ＣＰＵ
６２            プログラム
６３            ＩＯポート
６４            発光量制御回路
６５            状態検知手段
６６            記憶手段
６７            コンパレート回路
【図１】
0004776803.tif 000003
【図２】
0004776803.tif 000004
【図３】
0004776803.tif 000005
【図４】
0004776803.tif 000006
【図５】
0004776803.tif 000007
【図６】
0004776803.tif 000008
【図７】
0004776803.tif 000009
【図８】
0004776803.tif 000010
【図９】
0004776803.tif 000011